(57)【要約】【課題】  コンデンサマイクユニットをフレキシブルパイプを含む支持パイプを介して支持してなるグースネック型のコンデンサマイクロホンにおいて、フレキシブルパイプ部分におけるシールドを強化する。【解決手段】  コンデンサマイクユニットと、音声信号出力用の回路基板を備える出力モジュール部とを含み、上記コンデンサマイクユニットがフレキシブルパイプを含む支持パイプを介して上記出力モジュール部に支持され、上記コンデンサマイクユニットと上記回路基板とが上記支持パイプ内に挿通されるシールド被覆線４３を有するマイクケーブル４０を介して電気的に接続されているコンデンサマイクロホンにおいて、マイクケーブル４０のうち、少なくともフレキシブルパイプ３１，３２内に配線される部分はシールド被覆線４３を剥き出しとして、フレキシブルパイプ３１，３２に対して多点で接触させる。【選択図】  図２
2006033216.tif 000002
【特許請求の範囲】
【請求項１】
コンデンサマイクユニットと、シールドケース内に音声信号出力用の回路基板を備える出力モジュール部とを含み、上記コンデンサマイクユニットがフレキシブルパイプを含む支持パイプを介して上記出力モジュール部に支持されているとともに、上記コンデンサマイクユニットと上記回路基板とが上記支持パイプ内に挿通されるシールド被覆線を有するマイクケーブルを介して電気的に接続されているコンデンサマイクロホンにおいて、
上記マイクケーブルのうち、少なくとも上記フレキシブルパイプ内に配線される部分は上記シールド被覆線が露出されていることを特徴とするコンデンサマイクロホン。
【請求項２】
上記支持パイプに上記フレキシブルパイプのほかに金属パイプが含まれている場合において、上記マイクケーブルはその全長にわたって上記シールド被覆線が露出されている請求項１に記載のコンデンサマイクロホン。
【発明の詳細な説明】
【技術分野】
【０００１】
本発明はコンデンサマイクユニットをフレキシブルパイプを含む支持パイプを介して支持してなるグースネック型のコンデンサマイクロホンに関し、さらに詳しく言えば、例えば携帯電話機などから発生される高い周波数の電磁波ノイズに起因する雑音発生を防止する技術に関するものである。
【背景技術】
【０００２】
例えば特許文献１に記載されているように、国際会議場などの会議施設には見栄えがシンプルであるとともに、角度や高さの調整が容易であるなどの観点からグースネック型のコンデンサマイクロホンが好ましく採用されている。
【０００３】
グースネック型のコンデンサマイクロホンにおいては、コンデンサマイクユニットと出力モジュール部とが分離して構成されており、コンデンサマイクユニットは一部もしくは全部にフレキシブルパイプを含む支持パイプを介して出力モジュール部に支持され、フレキシブルパイプの屈曲自在性によりコンデンサマイクユニットを話者の口元に容易に近づけることができる。
【０００４】
通常、コンデンサマイクユニットにはインピーダンス変換器としてのＦＥＴ（電界効果トランジスタ）が内蔵されており、出力モジュール部は円筒状シールドケース内に音声信号出力用の回路基板を備え、コンデンサマイクユニットは支持パイプ内に挿通される専用のマイクケーブルを介して上記回路基板に接続される。
【０００５】
マイクケーブルには、電源をコンデンサマイクユニットに電源を供給する電源線と、上記インピーダンス変換器から出力される音声信号を出力モジュール部に送信する信号線と、これらを静電遮蔽し接地するシールド被覆線とを含み、シールド被覆線の外周面が外部シース（外皮）にて被覆された２芯シールド被覆線が用いられる。なお、出力モジュール部はコンデンサマイクユニットに電源を供給することからパワーモジュール部と呼ばれることがある。
【０００６】
マイクケーブルの部分で音声信号は不平衡で伝送されることから外部からの雑音（電磁波）に対して弱い。したがって、マイクケーブルに強い電磁波が加えられると、それがコンデンサマイクユニットや出力モジュール部の内部に高周波電流として入り込み半導体素子などで検波され雑音が発生することがある。
【０００７】
特に、近年急速に普及している携帯電話機からはかなり強い電磁波（例えば、数ｃｍ〜数１０ｃｍ程度の範囲内では商用電波により市中で生じている電界強度の数万倍に達する電界強度）が発生されるため、マイクロホンの分野では携帯電話機による電磁波対策が急務とされている。
【０００８】
フレキシブルパイプはマイクケーブルのシールドとして機能するが完全ではない。すなわち、フレキシブルパイプは鋼などの丸線材で復元力を担うコイルバネを形成し、その上から各コイルバネの隙間に断面三角形状で塑性変形する銅合金などからなる三角線材を挟み込むことにより作製されるため、それら線材の接触部分で低い抵抗値（例えば１Ω程度）ではあるがインピーダンスを持つ。
【０００９】
コンデンサマイクユニットおよび出力モジュール部は、それぞれしっかりしたシールドケースを備えているが、マイクロホン全体として見た場合、フレキシブルパイプの部分でシールドが不完全である。したがって、フレキシブルパイプを介して強い電磁波による高周波電流がマイクロホン内に入り込み、その結果上記したように雑音が発生することがある。
【００１０】
【特許文献１】特開平１１−３４１５７６号公報（図１）
【発明の開示】
【発明が解決しようとする課題】
【００１１】
したがって、本発明の課題は、コンデンサマイクユニットをフレキシブルパイプを含む支持パイプを介して支持してなるグースネック型のコンデンサマイクロホンにおいて、フレキシブルパイプ部分におけるシールドを強化することにある。
【課題を解決するための手段】
【００１２】
上記課題を解決するため、本発明は、コンデンサマイクユニットと、シールドケース内に音声信号出力用の回路基板を備える出力モジュール部とを含み、上記コンデンサマイクユニットがフレキシブルパイプを含む支持パイプを介して上記出力モジュール部に支持されているとともに、上記コンデンサマイクユニットと上記回路基板とが上記支持パイプ内に挿通されるシールド被覆線を有するマイクケーブルを介して電気的に接続されているコンデンサマイクロホンにおいて、上記マイクケーブルのうち、少なくとも上記フレキシブルパイプ内に配線される部分は上記シールド被覆線が露出されていることを特徴としている。
【００１３】
本発明には、上記支持パイプに上記フレキシブルパイプのほかに金属パイプが含まれている場合において、上記マイクケーブルはその全長にわたって上記シールド被覆線が露出されている態様も含まれる。
【発明の効果】
【００１４】
本発明によれば、マイクケーブルのシールド被覆線がフレキシブルパイプの内面と多点で接触するためフレキシブルパイプの抵抗値がきわめて小さくなる。したがって、電磁波に対するシールド機能が大幅に改善され、雑音の発生を効果的に抑制することができる。
【発明を実施するための最良の形態】
【００１５】
次に、図１ないし図３を参照して本発明の実施形態について説明するが、本発明はこれに限定されるものではない。
【００１６】
図１に本発明によるグースネック型のコンデンサマイクロホンの一例を断面図として示す。このコンデンサマイクロホンは、基本的な構成として、コンデンサマイクユニット１０と、出力モジュール部（パワーモジュール部）２０と、コンデンサマイクユニット１０を支持する支持パイプ３０とを備えている。
【００１７】
コンデンサマイクユニット１０は、例えば真鍮材などからなる円筒状のシールドケース１１を有し、シールドケース１１の先端部にはマイクロホンカプセル１２が装着されている。図示しないが、マイクロホンカプセル１２内には振動板と固定極とが対向した状態で含まれている。成極材料としてエレクトレットが用いられてもよい。同じく図示しないが、シールドケース１１内には上記固定極と電気的に接続されるインピーダンス変換器としてのＦＥＴ（電界効果トランジスタ）が収納されている。
【００１８】
出力モジュール部２０は、支持ベースとしても用いられる円筒状のシールドケース２１を備えている。このシールドケース２１も例えば真鍮などの導電材より形成される。シールドケース２１内には、フィルタ回路や増幅回路などを含む図示しない音声出力回路を有する回路基板２２が収納されている。なお、シールドケース２１は適当な受け金具などを介してテーブル上に設置される。
【００１９】
シールドケース２１の一端側（この例では上端側）には支持パイプ３０を嵌合固定するための口金２３が設けられている。シールドケース２１の他端側（この例では下端側）には出力コネクタ２４が装着されている。
【００２０】
コンデンサマイクロホンにおいて、通常、出力コネクタ２４にはＥＩＡＪ  ＲＣ−５２３６「音響機器用ラッチロック式丸型コネクタ」に規定されている３ピンタイプの出力コネクタが用いられ、出力コネクタ２４は平衡シールドケーブルを介してファントム電源（ともに図示しない）に接続される。
【００２１】
支持パイプ３０はその全長にわたってフレキシブルパイプが用いられてもよいが、この例において、支持パイプ３０は２本のフレキシブルパイプ、すなわち基部側フレキシブルパイプ３１と先端側フレキシブルパイプ３２とを中間の金属パイプ３３で接続してなる。
【００２２】
この例において、基部側フレキシブルパイプ３１は先端側フレキシブルパイプ３２よりも大径であるが、これはデザイン上の要請によるもので、各フレキシブルパイプ３１，３２はともに、鋼などの丸線材で復元力を担うコイルバネを形成し、その上から各コイルバネの隙間に断面三角形状で塑性変形する銅合金などからなる三角線材を挟み込むことにより作製され、丸線材と三角線材とが強い摩擦をもつことから任意の位置に変形可能で、かつ、その変形状態を自己保持する。
【００２３】
支持パイプ３０内には、コンデンサマイクユニット１０と出力モジュール部２０とを電気的に接続するためのマイクケーブル４０が挿通される。マイクケーブル４０の一部分を図２に示す。マイクケーブル４０は２芯シールド被覆線で、内部シース４１内に挿通された電源線４２ａおよび信号線４２ｂと、内部シース４１の外周面全体に巻き付けられた例えばメッシュ状のシールド被覆線４３とを備えている。
【００２４】
シールド被覆線を有するケーブルではマイクケーブルに限らず、通常、シールド被覆線は全長にわたって外部シース（外皮）により覆われているが、本発明において、マイクケーブル４０のうち、少なくともフレキシブルパイプ３１，３２内に配線される部分は外部シースが除去されシールド被覆線４３が露出されている。
【００２５】
これによれば、マイクケーブル４０のシールド被覆線４３がフレキシブルパイプ３１，３２の内面と多点で電気的に接続しフレキシブルパイプ３１，３２の抵抗値が小さくなるため、フレキシブルパイプ３１，３２の部分でのシールドを強化することができる。
【００２６】
一例として、長さ３９ｃｍのフレキシブルパイプを用意し、これに全長にわたって外部シースを有する通常のマイクケーブルを挿通した場合の両端間の直流抵抗値は０．４Ωであったが、全長にわたって外部シースを除去してシールド被覆線を剥き出しとした本発明によるマイクケーブルをフレキシブルパイプに挿通して、その両端間の直流抵抗値を測定したところ０．０１Ω以下を示した。
【００２７】
図３にシールド被覆線４３とフレキシブルパイプ３１，３２との接続部分の等価回路を示す。図３において、Ｒａはフレキシブルパイプが有する主に線材間の接触抵抗，Ｒｂがシールド被覆線４３との接触抵抗である。
【００２８】
このように、本発明によればシールド被覆線４３とフレキシブルパイプ３１，３２との間に抵抗Ｒｂによるショートサーキット的な閉回路が多数形成されるため、強い電磁波によりフレキシブルパイプ３１，３２に高周波電流が流れたとしても、その高周波電流は上記ショートサーキット的な閉回路で熱エネルギーに変換され消失する。よって、電磁波による雑音発生が抑制される。
【００２９】
なお、上記した例のように、支持パイプ３０内にフレキシブルパイプ３１，３２と金属パイプ３３とが混在している場合、その全長にわたって外部シースを除去して、フレキシブルパイプの部分のみならず、金属パイプ３３内に配線される部分においてもシールド被覆線４３を露出させてもよい。
【図面の簡単な説明】
【００３０】
【図１】本発明によるコンデンサマイクロホンの一例を示す断面図。
【図２】本発明の要部を示す斜視図。
【図３】本発明においてシールド被覆線とフレキシブルパイプとの接続部分における等価回路。
【符号の説明】
【００３１】
１０  コンデンサマイクユニット
２０  出力モジュール部
２１  シールドケース
２２  回路基板
３０  支持パイプ
３１，３２  フレキシブルパイプ
３３  金属パイプ
４０  マイクケーブル
４２ａ  電源線
４２ｂ  信号線
４３  シールド被覆線
【図１】
2006033216.tif 000003
【図２】
2006033216.tif 000004
【図３】
2006033216.tif 000005